(57)【要約】  自動車のための接続された要素のシステムは、表面上に少なくとも１つの凹部を有する第１の要素と、第２の要素であって、第２の要素の表面と第１の要素の凹部とが空洞を形成するように第１の要素上に配置される第２の要素と、空洞へのアクセスを形成する充填開口と、空洞を少なくとも部分的に充填し、且つそれにより第１の要素を第２の要素に接着結合する接着剤とを含む。
2020524627.tif 000002
【特許請求の範囲】
【請求項１】
自動車のための接続された要素のシステムであって、
１つの表面上に少なくとも１つの凹部（３）を有する第１の要素（１）；
第２の要素（４）であって、前記第２の要素（４）の表面と前記第１の要素（１）の前記凹部（３）とが空洞（５）を形成するように前記第１の要素（１）上に配置される第２の要素（４）；
前記空洞（５）へのアクセスを形成する充填口（２）；及び
前記空洞（５）を少なくとも部分的に充填し、且つそれにより前記第１の要素（１）を前記第２の要素（４）に結合する接着剤；
を含むシステム。
【請求項２】
前記第１の要素（１）及び／又は前記第２の要素（４）は、パネル状要素、形材又は鋳物である、請求項１に記載のシステム。
【請求項３】
前記第１の要素（１）及び／又は前記第２の要素（４）は、少なくとも部分的に金属、プラスチック又は繊維強化プラスチックからなる、請求項１又は２に記載のシステム。
【請求項４】
肩部（６）と第２の要素（４）との間の距離（９）は、最大で１ｍｍである、請求項１〜３のいずれか一項に記載のシステム。
【請求項５】
凹部幅（１７）は、３〜５０ｍｍであり、且つ／又は凹部深さ（１８）は、０．５〜５ｍｍであり、且つ／又は凹部長さ（１６）は、１５〜５００ｍｍである、請求項１〜４のいずれか一項に記載のシステム。
【請求項６】
前記接着剤は、以下の群：一成分型エポキシ接着剤、二成分型又は多成分型エポキシ接着剤、二成分型アクリル接着剤、二成分型ポリウレタン接着剤から選択される、請求項１〜５のいずれか一項に記載のシステム。
【請求項７】
前記充填口（２）は、０．５〜１０ｍｍの直径（２２）を有する、請求項１〜６のいずれか一項に記載のシステム。
【請求項８】
前記凹部（３）は、長方形の、Ｖ字形の、Ｕ字形の又は不規則に成形された断面を有する、請求項１〜７のいずれか一項に記載のシステム。
【請求項９】
以下の工程を含む、自動車の要素を接続するための方法：
第１の要素（１）を提供すること、ここで、前記第１の要素（１）は、１つの表面上に凹部（３）を有する；
第２の要素（４）を提供すること；
前記第２の要素（４）の表面と前記第１の要素（１）の前記凹部（３）とが空洞（５）を形成するように前記第１の要素（１）及び前記第２の要素（４）を配置すること；
前記空洞（５）に接着剤を導入すること、ここで、前記接着剤を、充填口（２）を通じて前記空洞（５）に導入する。
【請求項１０】
以下の追加の工程を含む、請求項９に記載の方法：
前記第１の要素（１）の前記表面上に前記凹部（３）を成形すること。
【請求項１１】
前記凹部（３）は、成形中、エンボス加工、又は型押、又はスタンピングによって形成される、請求項１０に記載の方法。
【請求項１２】
以下の追加の工程を含む、請求項９〜１１のいずれか一項に記載の方法：
前記第１の要素（１）又は前記第２の要素（４）に充填口（２）を形成すること、ここで、前記充填口（２）は、前記空洞（５）へのアクセスを形成する。
【請求項１３】
以下の追加の工程を含む、請求項９〜１２のいずれか一項に記載の方法：
前記接着剤を硬化させること。
【請求項１４】
前記空洞（５）への導入時の前記接着剤は、１０〜１００℃の温度を有し、且つ／又は前記接着剤を、０．１〜５ｃｍ３／ｓの体積流量で前記空洞（５）に導入する、請求項９〜１３のいずれか一項に記載の方法。
【請求項１５】
請求項１〜８のいずれか一項に記載のシステムの要素（１、４）を用いて実行する、請求項９〜１４のいずれか一項に記載の方法。
【発明の詳細な説明】
【技術分野】
【０００１】
本発明は、自動車のための接続された要素のシステムに関し、また自動車の要素を接続するための方法に関する。
【背景技術】
【０００２】
接続のために、押出形材、鋳物又はパネルなどの要素は、例えば、頻繁に互いに接着結合される。これは、接着剤の塊の形態で第１の要素に加えられる接着剤を使用して行われ、その後、２つの要素を結合するために、結合のための第２の要素が接着剤のこの塊に加えられる。しかしながら、この種の知られている方法の欠点は、結合される要素の管理及びまた接着剤の適用が、一方ではコストが高く、不便であり、他方では特定の制限を示すことである。例えば、この技術を使用して、互いの中で入れ子にされた要素を互いに結合することは難しい。この理由は、第２の要素の取付け時、第１の要素に加えられた接着剤の塊がはぎ取られることがあり、その結果、要素を互いに結合するために望ましい位置にもはや存在しないためである。
【発明の概要】
【発明が解決しようとする課題】
【０００３】
したがって、本発明が基づく目的は、自動車のための接続された要素の改良されたシステム及び自動車の要素を接続するための改良された方法を提供し、より経済的であり且つ管理がより容易である方法で自動車の要素を互いに接続することを可能にすることである。
【課題を解決するための手段】
【０００４】
この目的は、第一に、自動車のための接続された要素のシステムであって、１つの表面上に少なくとも１つの凹部を有する第１の要素と、第２の要素であって、第２の要素の表面と第１の要素の凹部とが空洞を形成するように第１の要素上に配置される第２の要素と、空洞へのアクセスを形成する充填口と、空洞を少なくとも部分的に充填し、且つそれにより第１の要素を第２の要素に結合する接着剤とを含むシステムによって実現される。
【０００５】
ここで提案されるシステムの利点は、入れ子にされ、その結果、従来、接着剤の塊を使用して互いに接続できなかった要素を互いに接続するためにも使用できることである。したがって、ここで提案されるシステムは、それらの幾何学的形状に関係なく、要素を接続するために非常に広範に使用することができる。
【０００６】
本発明の中心概念は、要素が互いに対してそれらの意図された位置に配置されるまで接着剤が加えられないことである。これは、要素を互いに対して配置するとき、すでに加えられた接着剤の塊を考慮する必要がなく、その結果、要素をより効率的に且つより経済的に配置できるという利点を有する。
【０００７】
さらに、多数の要素が接続される場合、最初に要素のすべてをそれらの意図した位置に至らせることができる場合、次いで接着剤を一作業ですべての空洞に導入できることが利点である。結果的に、配置される前に、接続される要素ごとに個々に接着剤が与えられる必要はない。
【０００８】
１つの例示的な実施形態において、第１の要素は、形材、鋳物又はパネル状要素であり、及び第２の要素は、形材、鋳物又はパネル状要素である。
【０００９】
自動車のボディは、通常、そのような要素から構築される。その場合、互いに接続されるそのような要素の異なる組合せがあり得る。本発明の主要な利点は、したがって、ここで提案される要素を接続するためのシステムが、それらの成形、材料又は製造方法に関係なく、さまざまな要素に普遍的に適用できることである。したがって、本システムは、自動車の組立においてさまざまに採用することができる。
【００１０】
本発明に関連して、名称「パネル状要素」は、金属から作られる要素だけでなく、プラスチック又は繊維強化プラスチックから作られる要素も明確に含む。したがって、この名称は、単に形態に関するものであり、要素の材料に関するものではない。
【００１１】
本発明に関連して、名称「形材」は、異なる方法で製造される要素を明確に含む。それは、例えば、押出形材、内部高圧成形形材又は圧延パネル状要素を含む。
【００１２】
本発明に関連して、名称「鋳物」は、異なる方法で製造される要素を明確に含む。例えば、それは、デッドモールド鋳造、インゴット鋳造又は連続ストランド鋳造によって製造される要素を含む。
【００１３】
１つの例示的な実施形態では、第１の要素及び／又は第２の要素は、少なくとも部分的に金属、プラスチック又は繊維強化プラスチックからなる。
【００１４】
好ましい改良形態では、第１の要素及び／又は第２の要素は、少なくとも部分的にポリアミド、特にＰＡ  ６．６（ナイロン）からなる。
【００１５】
代替的な好ましい改良形態では、第１の要素及び／又は第２の要素は、少なくとも部分的に鋼、アルミニウム若しくはマグネシウム又はこれらの金属の組合せからなる。
【００１６】
代替的な好ましい改良形態では、第１の要素及び／又は第２の要素は、少なくとも部分的にＣＦＲＰ、ＧＦＲＰ又はＳＭＣの群からの繊維強化プラスチックからなる。
【００１７】
ここで提案されるシステムの利点は、特に異なる材料及び材料の組合せを互いに接続できることである。
【００１８】
１つの例示的な実施形態において、肩部と第２の要素との間の距離は、最大で１ｍｍ、好ましくは最大で０．８ｍｍ、より好ましくは最大で０．５ｍｍ、より好ましくは最大で０．３ｍｍである。
【００１９】
肩部と第２の要素との間のそのような距離は、接着剤が第１の要素と第２の要素との間の開放空洞の領域に実質的にとどまり、その結果、その意図された位置で有効であることを保証する。選択される距離は、使用される接着剤に応じて、より詳細にはその粘性に応じてより大きいか又はより小さいことができる。原則として、肩部及び第２の要素は、直接的に互いを圧迫し、距離を０ｍｍにし得る。
【００２０】
１つの例示的な実施形態において、凹部幅は、３〜５０ｍｍ、好ましくは５〜４０ｍｍ、より好ましくは１０〜３０ｍｍである。
【００２１】
１つの例示的な実施形態において、凹部深さは、０．５〜５ｍｍ、好ましくは０．８〜４ｍｍ、より好ましくは１〜３ｍｍである。
【００２２】
１つの例示的な実施形態において、凹部長さは、１５〜５００ｍｍ、好ましくは３０〜４００ｍｍ、より好ましくは４０〜１５０ｍｍである。
【００２３】
そのような寸法形状の凹部の利点は、それが要素の接続と異なるシステムの用途を対象とするために使用できることである。
【００２４】
凹部は、一定の断面を有し得るが、代替的な例示的実施形態では、凹部は、一定ではない断面も有し得る。その場合、凹部の長さ、幅及び深さは、形状が一定でなくてもよい。したがって、例えば、凹部の（例えば、充填口の下の）中間部よりも端部で深くない凹部又は平面図で楕円形状を有する凹部を実現することも可能である。
【００２５】
当然のことながら、凹部は、その全長にわたって直線的に延在する必要はないが、代わりにまた湾曲し得るか又は方向がさまざまに変化し得る。
【００２６】
１つの例示的な実施形態において、凹部は、Ｖ字形の、又はＵ字形の、又は角のある、又は半円形の、又は不規則に成形された断面を有する。
【００２７】
さらなる例示的な実施形態において、凹部は、不規則に成形された断面を有する。その場合、例えば、凹部底部は、傾斜する設計であり得、その結果、その中で固化する接着剤は、楔形断面を有する。対応する相補性を有して形成されるこの種の接着剤の楔形断面及び凹部底部の楔形断面は、結合された要素の引張荷重を改良する効果を有することができ、それは、この幾何学的形状によって楔効果を実現することができるためである。したがって、例えば、第１の要素は、引張荷重に関してより効果的に第２の要素に結合することができる。
【００２８】
同様に、凹部の断面は、要素間のさらにより良好な接続を実現するように、アンダーカット又は他の形態の接触を有しても形成され得る。
【００２９】
さらなる例示的な実施形態において、凹部は、分岐を有する。
【００３０】
さらなる例示的な実施形態において、凹部は、主要凹部と、それに接続された側方凹部とを有する。第１の要素の表面上の凹部の配置及び構成は、第１の要素が第２の要素に結合される位置に依存する。この目的のために、互いに離間して構成される複数の凹部を有する凹部が設けられ得るか、又は他に分岐及び／若しくは側方の凹部を有する凹部が設けられ得る。特に、側方凹部は、第１の要素と第２の要素との間の接合面を大きくするのに使用され得る。
【００３１】
１つの好ましい実施形態において、第１の要素又は第２の要素は、空洞への接着剤の導入のための充填口を有する。
【００３２】
この種の充填口の利点は、接着剤を空洞に直接導入できることである。
【００３３】
１つの好ましい改良形態において、充填口は、直接凹部に通じている。その場合、充填口は、凹部の長さ及び／又は幅に対して中央に配置され得る。
【００３４】
さらに、充填口は、凹部も有する第１の要素に配置され得るか、又は他に充填口は、第２の要素に配置され得る。原則として、充填口の配置は、（接着剤が導入される状況において）要素がどのようにアクセス可能であるかに依存する。
【００３５】
１つの例示的な実施形態において、充填口は、０．５〜１０ｍｍ、好ましくは０．８〜８ｍｍ、より好ましくは１〜５ｍｍの直径を有する。
【００３６】
１つの例示的な実施形態において、第１の要素及び第２の要素は、第１の要素及び第２の要素の予備的な固定のため、接着剤が導入される前に少なくとも部分的に互いに接続される。１つの好ましい実施形態において、要素は、片側又は両側において機械的結合技術、より詳細にはリベット留め、溶接、螺合又はボルト留めによって事前に固定される。
【００３７】
第２の要素に対して第１の要素を固定するためのこの種の要素は、接着剤が固化及び／又は完全に硬化する前に、要素が意図した位置にとどまるという利点を有する。
【００３８】
１つの例示的な実施形態において、第１の要素及び第２の要素は、形材である。一例として、これらの形材は、異なる大きさの断面を有し、より小さい形材をより大きい形材に挿入することが可能である。その場合、凹部は、選択により、より小さい形材又はより大きい形材に設けることができ、それは、選択により、より大きい形材が本発明における第１の要素又は第２の要素であり得ることを意味する。
【００３９】
さらなる例示的な実施形態において、第１の要素及び第２の要素は、いずれの場合にも、１つの形材及び１つのパネル状要素から形成される。また、その場合、凹部は、選択により、パネル状要素又は他に形材に設けることができる。したがって、それに応じて、形材は、第１の要素又は第２の要素となる。
【００４０】
さらなる例示的な実施形態において、第１の要素及び第２の要素は、それぞれ鋳物及び形材である。その場合、例えば、鋳物は、形材を挿入することができる開口を有し得る。また、凹部は、形材又は鋳物のいずれにも設けられ得る。これも、鋳物が本発明における第１の要素又は他に第２の要素であり得ることを意味する。
【００４１】
さらなる例示的な実施形態において、第１の要素及び第２の要素は、それぞれ鋳物である。その場合、例えば、ここで、鋳物の１つは、第２の鋳物の一部を挿入することができる開口を有し得る。また、凹部は、一方の鋳物又は他方の鋳物に設けられ得る。したがって、開口を有する鋳物は、選択により、本発明における第１の要素又は第２の要素である。
【００４２】
さらなる例示的な実施形態において、第１の要素及び第２の要素は、パネル状要素である。その場合、凹部は、選択により、第１のパネル状要素又は第２のパネル状要素に設けることができる。同様に、第１のパネル状要素又は第２のパネル状要素は、本発明における第１の要素又は第２の要素である。
【００４３】
さらなる例示的な実施形態において、第１の要素及び第２の要素は、それぞれパネル状要素及び鋳物である。例えば、Ｕ字形断面を有する２つのパネル状要素は、接着結合又は溶接されて空洞を形成し得る。鋳物は、例えば、この空洞に配置され得る。また、凹部は、パネル状要素又は鋳物のいずれにも配置され得る。同様に、鋳物は、本発明における第１の要素又は第２の要素である。
【００４４】
３つ以上の要素を互いに結合することも可能であることが理解されるであろう。
【００４５】
ここで提案されるシステムの本質的な利点は、形状が非常に異なる要素を互いに接続するために使用できることであり、それは、凹部を任意の望ましい要素上に設けることができるためである。これは、本明細書で提案される自動車のための接続された要素のシステムのさまざまな使用を可能にする。
【００４６】
最初に述べられた目的は、自動車の要素を接続するための方法であって、第１の要素を提供するステップであって、第１の要素は、１つの表面上に凹部を有する、ステップと、第２の要素を提供するステップと、第２の要素の表面と第１の要素の凹部とが空洞を形成するように第１の要素及び第２の要素を配置するステップと、空洞に接着剤を導入するステップであって、接着剤は、充填口を通して空洞に導入される、ステップとを含む方法によってさらに実現される。
【００４７】
ここで提案される方法は、本明細書で提案される接続された要素のシステムに関してすでに述べられたのと同じ利点も提供する。特に、結果として、要素の接着結合のための方法は、より経済的であり且つ管理をより容易にすることができる。
【００４８】
１つの例示的な実施形態において、方法は、以下の追加のステップ：第１の要素の表面上に凹部を成形するステップを含む。
【００４９】
この場合、凹部は、第１の要素の製造中に成形され得るか、又は他に凹部は、すでに製造された第１の要素上に成形され得る。適切な変形形態は、第１の要素の製造方法に従って選択され得る。
【００５０】
１つの例示的な改良形態において、凹部は、成形中、エンボス加工、型押、スタンピング、機械加工、鋳造又は成型によって形成される。
【００５１】
また、凹部を形成するための適切な方法は、第１の要素の製造方法に従ってここで選択することができる。
【００５２】
１つの例示的な実施形態において、方法は、以下の追加のステップ：第１の要素又は第２の要素に充填口を形成するステップであって、充填口は、空洞へのアクセスを形成する、ステップを含む。
【００５３】
１つの例示的な実施形態において、方法は、以下の追加のステップ：接着剤を硬化させるステップを含む。
【００５４】
１つの例示的な改良形態において、接着剤の硬化は、少なくとも１２０℃、好ましくは少なくとも１４０℃、より好ましくは少なくとも１６０℃の温度の使用によって実行される。
【００５５】
一例として、接着剤の硬化は、通常、ボディの陰極電気塗装（ＣＥＣ）後に採用される種類の炉で行われ得る。そのような炉を占める温度は、通常、１２０℃〜２２０℃である。そのような温度は、特に本発明に関連して使用することができる接着剤の完全硬化のために適切である。接続された要素及び固化された接着剤を有するボディは、いかなる場合でも、電気塗装及びそれに続く塗装系を完全に硬化させるための加熱の操作を受けるため、電気塗装後の炉でのこの加熱の利用は、接着剤を完全に硬化させるために特に有益である。
【００５６】
１つの例示的な実施形態において、空洞への導入中の接着剤の温度は、１０〜１００℃、好ましくは２０〜８０℃、より好ましくは３０〜７０℃である。
【００５７】
１つの例示的な実施形態において、接着剤は、０．１〜５ｃｍ３／ｓ、好ましくは０．５〜４ｃｍ３／ｓ、より好ましくは１〜３ｃｍ３／ｓの体積流量で空洞に導入される。
【００５８】
１つの例示的な実施形態において、接着剤は、空洞への導入時、ポンプを介して接着剤タンクから搬送される。
【００５９】
１つの例示的な実施形態において、接着剤は、空洞への導入時、第１の要素又は第２の要素の充填口を通して搬送される。
【００６０】
第１の要素又は第２の要素への充填口の提供は、それにより、接着剤を、例えばロボットを使用して単純な方法で空洞に導入できるという利点を有する。
【００６１】
使用することができるさまざまな接着剤がある。一例として、接着剤は、以下の追加の群：一成分型（一液型）エポキシ接着剤、二成分型（二液型）若しくは多成分型（多液型）エポキシ接着剤、二成分型（二液型）アクリル酸又は二成分型（二液型）ポリウレタン接着剤から選択され得る。
【００６２】
１つの特定の例示的な実施形態では、ＳｉｋａＰｏｗｅｒ（登録商標）という名称で市販されている接着剤が使用される。一例として、市販の製品ＳｉｋａＰｏｗｅｒ（登録商標）−４９７及びＳｉｋａＰｏｗｅｒ（登録商標）−４７７Ｒを使用することができる。
【００６３】
代替的な特定の実施例では、ＳｉｋａＦａｓｔ（登録商標）又はＳｉｋａＦｏｒｃｅ（登録商標）の名称で市販されている接着剤が使用される。
【００６４】
適切な接着剤は、使用される第１の要素及び第２の要素の材料及び表面に従って且つ／又は接着剤の適用パラメータに従って選択され得る。
【００６５】
本発明の詳細及び利点は、実施例を参照して且つ概咯図を参照して以下で説明される。
【図面の簡単な説明】
【００６６】
【図１】自動車のボディの例示的な表現を示す。
【図２】例示的な第１の要素の概略図を示す。
【図３】例示的な第１の要素及び第２の要素の概略図を示す。
【図４ａ−４ｃ】例示的な第１の要素及び第２の要素の概略図を示す。
【図５ａ−５ｂ】例示的な第１の要素及び第２の要素の概略図を示す。
【図６ａ−６ｂ】例示的な第１の要素及び第２の要素の概略図を示す。
【図７】導入装置の概略図を示す。
【発明を実施するための形態】
【００６７】
自動車のボディ１０が図１に概略的に示される。ここで、ボディ１０は、例えば、柱１４及びクロスストラット１２などのさまざまな構造を含む。この種の及び他の種類のボディ１０の構造は、適切な方法で互いに接続されなければならない。特に、形材、鋳物及びパネル状要素が互いに接続され得る。
【００６８】
第１の要素１の詳細が図２に概略的に示される。ここで、第１の要素１は、その表面上に凹部３を有する。第１の要素１の表面は、凹部３に隣接して肩部６を形成する。ここで、凹部３は、凹部長さ１６を有する。
【００６９】
第１の要素１及び第２の要素４の詳細の断面が図３に概略的に示される。第１の要素１は、第１の要素１の表面上に形成される凹部３も有する。ここで、凹部３は、凹部幅１７及び凹部深さ１８を有する。この例示的な実施形態における凹部３の断面は、長方形の形態である。肩部６は、凹部３にも隣接して形成される。
【００７０】
次いで、第２の要素４は、空洞５が第１の要素１の凹部３と第２の要素４との間に形成されるように第１の要素１に対して配置される。
【００７１】
この場合、第１の要素１の肩部６と第２の要素４の表面との間の距離９がある。図３において、この距離９は、より効果的な識別のために誇張されている。１つの例示的な実施形態によると、この距離９は、最大で１ｍｍである。
【００７２】
この例示的な実施形態の第２の要素４は、直径２２を有する充填口２を有する。この充填口２を通して、接着剤（この図には示されていない）を空洞５に導入することができる。
【００７３】
示されていない代替的な実施形態において、充填口は、第１の要素１にも配置され得る。アクセスのしやすさに応じて、第１の要素又は第２の要素への充填口の配置は、利点を伴い得る。
【００７４】
図４ａ〜４ｃは、例示的な第１の要素１及び例示的な第２の要素４のさまざまな実施形態を示す。凹部３は、いずれの場合にも、第１の要素１の１つの表面上に配置される。空洞５は、いずれの場合にも、この凹部３と第２の要素４との間に形成される。
【００７５】
図４ａの例示的な第１の要素１は、Ｖ字形の断面を有する凹部３を有する。この例示的な実施形態において、充填口２は、第２の要素４に配置される。
【００７６】
図４ｂによる例示的な実施形態において、第１の要素１は、Ｕ字形又は半円形の断面を有する凹部３を有する。この例示的な実施形態において、充填口２は、第２の要素４にも配置される。
【００７７】
図４ｃに示されている第１の要素１の例示的な実施形態は、長方形の断面を有する凹部３を有する。この例示的な実施形態において、充填口２は、第１の要素１に配置される。
【００７８】
図５ａ及び５ｂは、それぞれ第１の要素１及び第２の要素４を示し、図５ａは、結合のためにそれらを配置する前の要素を示し、図５ｂは、結合のために互いに対して配置された要素を示す。この例示的な実施形態において、要素１、４は、それぞれ金属パネルの形態である。この場合、第１の要素１の凹部３は、エンボス加工又はスタンピングによってパネルに成形された。
【００７９】
図５ａにおいて、穴２０が要素１、４に示されている。図５ｂは、本例において、ネジとして実装され、穴２０を通して突出する締結手段２１を示す。これらの締結手段２１は、接着剤が充填口２を通して導入される前に第１の要素１及び第２の要素４を互いに対して固定する役割を果たす。
【００８０】
第１の要素１の第２の要素４との例示的な組合せが図６ａに示されている。この場合、第１の要素１は、湾曲したパネル状要素の形態をとり、第２の要素４は、形材の形態をとる。この例示的な実施形態では、充填口２は、第１の要素１に配置される。
【００８１】
第１の要素１の第２の要素４とのさらなる例示的な組合せが図６ｂに示されている。この場合、第１の要素１は、形材の形態をとり、第２の要素４は、鋳物の形態をとる。この例示的な実施形態では、充填口２は、第２の要素４に配置される。
【００８２】
第１の要素と第２の要素との間の空洞（この描写では明確ではない）に接着剤を導入するための装置が図７に示されている。ここで、ポンプ２５は、接着剤タンク２４から第１の要素１の充填口２を通して、第１の要素１と第２の要素４との間の空洞に接着剤を搬送する。
【００８３】
第１の要素１及び第２の要素４は、締結手段２１によって事前に固定され、そのため、接着剤が導入されるとき、互いに対する要素の相対配置が変化しない。
【符号の説明】
【００８４】
１    第１の要素
２    充填口
３    凹部
４    第２の要素
５    空洞
６    肩部
９    肩部と第２の要素との間の距離
１０    ボディ
１２    クロスストラット
１４    柱
１６    凹部長さ
１７    凹部幅
１８    凹部深さ
２０    穴
２１    締結手段
２２    充填口の直径
２４    接着剤タンク
２５    ポンプ
【図１】
2020524627.tif 000003
【図２】
2020524627.tif 000004
【図３】
2020524627.tif 000005
【図４ａ】
2020524627.tif 000006
【図４ｂ】
2020524627.tif 000007
【図４ｃ】
2020524627.tif 000008
【図５ａ】
2020524627.tif 000009
【図５ｂ】
2020524627.tif 000010
【図６ａ】
2020524627.tif 000011
【図６ｂ】
2020524627.tif 000012
【図７】
2020524627.tif 000013
【国際調査報告】
2020524627.tif 000014
2020524627.tif 000015
2020524627.tif 000016
2020524627.tif 000017